(57)【特許請求の範囲】
【請求項１】
表面と裏面とを画する周縁部および該周縁部に包囲された重心を有する２次元状シートと、
前記表面に固着された結束用具と、
を含み、
前記重心の近傍を持ち上げて一端とし、該一端から前記周縁部方向に前記２次元状シートを束ねて略揃えた該周縁部を他端として、該他端を該一端側に折り曲げて該２次元状シートを重畳し、前記結束用具により該重畳した２次元状シートを結束して収納可能な野外用敷物であって、
前記２次元状シートの前記表面の前記重心近傍に、前記結束用具を固着したことを特徴とする野外用敷物。
【請求項２】
前記結束用具は、固着端と開放端を有し、該固着端が前記２次元状シートの前記表面の前記重心近傍に固着された紐である請求項１に記載の野外用敷物。
【請求項３】
前記結束用具は、
両端を有し、該両端の略中間部を前記２次元状シートの表面の前記重心近傍に固着された紐と、
該紐の両端を遊貫させたロープロックと、
から形成される請求項１に記載の野外用敷物。
【請求項４】
前記結束用具は、
固着端と開放端を有し、該固着端が前記２次元状シートの前記表面の前記重心近傍に固着された２本の紐と、
該２本の紐の開放端を遊貫させたロープロックと、
から形成される請求項１に記載の野外用敷物。
【請求項５】
表面と裏面とを画する周縁部および該周縁部に包囲された重心を有する２次元状シートと、
前記表面に固着された結束用具と、
を含み、
前記重心の近傍を持ち上げて一端とし、該一端から前記周縁部方向に前記２次元状シートを束ねて略揃えた該周縁部を他端として、該他端を該一端側に折り曲げて該２次元状シートを重畳し、前記結束用具により該重畳した２次元状シートを結束して収納可能な野外用敷物であって、
前記２次元状シートの表面の前記重心近傍に摘み部を形成し、
前記２次元状シートの表面の前記重心外の位置に前記結束用具を固着したことを特徴とする野外用敷物。
【請求項６】
前記結束用具は、固着端と開放端を有するバンドであり、
該固着端を前記２次元状シートの表面に固着し、
該固着端および該開放端近傍にそれぞれ雌雄の係止具を表設した、
請求項１または５に記載の野外用敷物。
【請求項７】
前記２次元状シートは２以上の層が積層されて構成され、各層間に空気が密封され、あるいは、クッション層が内挿された請求項１乃至６のいずれか１項に記載の野外用敷物。
【請求項８】
前記２次元状シートもしくは前記結束用具に、ワニグチクリップを取り付けた請求項１乃至７のいずれか１項に記載の野外用敷物。
【請求項９】
前記２次元状シートの表面の前記重心近傍を起点として放射状にプリーツ加工を施した事を特徴とする請求項１乃至８のいずれか１項に記載の野外用敷物。
【発明の詳細な説明】
【技術分野】
【０００１】
本発明は野外に外出した時に、休息をとるために使用する敷物に関するものである。
【背景技術】
【０００２】
野外にてちょっと休息をとる場合、敷物（シート等）を地面などに敷設し座る事が多い。ハイキングや登山、散歩や釣りなどのアウトドアでは、仲間との食事や休息の一時が楽しみでもある。
【０００３】
このため、従来から様々な携帯に便利な敷物（シート等）が考案されてきた。単なる四角形シートの敷物を始め、エアーマットタイプやウレタンを内包した敷物があったが、そのような従来の単なる敷物（シート等）では敷設する場所が汚れていたり濡れていたりすると使用後はシートの裏面（大地等に接する面）が汚れるため、シートは収納する時に、汚れた面が使用者の座る表面（きれいな面）に接触して汚れが転写しないように、奇麗に折り畳む配慮が必要とされた。
【０００４】
例えば特許文献１には、「光反射膜を表面に形成した長方形状のビーチマットよりなり、少なくとも対称形状に折り畳み可能に形成するとともにその該折り畳み部分の両側縁に、分離可能なチャック部材を取付け、該チャック部材を利用して上部が開放する袋状に形成可能に構成したことを特徴とする」折り畳み式ビーチマットが開示されている。この考案では、ビーチマットはチャック部材により奇麗に袋状に折り畳めるが、折り畳んだ袋の内面がビーチマットの裏側に相当するので、折角折り畳んで形成した袋内部は汚れていることになる。
【０００５】
また、特許文献２には、「マット裏面の一方側縁にバンドが取り付けられていることを特徴とするレジャー用マット」が開示されており、「当該マットを表面が内側となるように前記バンドの取り付けられている側に向かってロール状に丸め、次いで、このロール状に丸めたマットの外側をバンドで巻いて締め付けて固定することで、ロール状のまま」取り扱うことができる。しかし、汚れた裏面をロールの内部から巻き上げるので、奇麗な表面に汚れが転写し、巻きあがったロール表面も汚れた裏面が露出してしまう。
【０００６】
このように、従来の敷物（シート等）は、奇麗に折り畳んで、例えばザックの中やザックの外ポケットに敷物を収納しても、汚れた水滴等が垂れてきて、使用者の持ち物や服を汚すもととなっていた。この汚れた水滴をなるべく少なくすべく、完全に水切りしようとシートの端を持ち大きく振り払うと、振り払うべきシート面積が大きいため、シートが波打ち使用者の顔に汚れた水滴が降りかかったり、風に煽られて飛ばされるという事態が発生した。
【０００７】
さらには、汚れ物であるため、あるいは取り出し易くするために、ザック等の外側ポケットに入れておくと、風にさらわれたり振動によってポケットから脱落して紛失する事が度々生じた。
【０００８】
【特許文献１】実開平１−１７９５２５号公報
【特許文献２】特開平７−２１３３３７号公報
【発明の概要】
【発明が解決しようとする課題】
【０００９】
そこで本発明は、敷設から片づけ収納までが、使用者の手や敷物の表面を汚すことなく、簡単、迅速且つクリーンにしかもコンパクトに確実に保持できる野外用敷物を提供することを目的とする。
【課題を解決するための手段】
【００１０】
本発明に係る野外用敷物は、表面と裏面とを画する周縁部および該周縁部内側に重心を有する２次元状シートと、前記表面に固着された結束用具と、を含む野外用敷物であって、前記重心の近傍を持ち上げて一端とし、該一端から前記周縁部方向に前記２次元状シートを束ねて略揃えた該周縁部を他端として、該他端を該一端側に折り曲げて該２次元状シートを重畳し、前記結束用具により該重畳した２次元状シートを結束して収納可能であり、前記２次元状シートの前記表面の前記重心近傍に、前記結束用具を固着したことを特徴とする。２次元状シートの形状は特に限定されず、結束用具はいかに詳述するように主として紐やバンドが用いられる。また、２次元状シートの上記重心近傍には、その位置が重心と分かるようにマークを入れておくのが好ましい。
【００１１】
本発明に係る野外用敷物は、前記結束用具は、固着端と開放端を有し、該固着端が前記２次元状シートの前記表面に固着された紐であってよい。
【００１２】
本発明に係る野外用敷物は、前記結束用具は、固着端と開放端を有し、該固着端が前記２次元状シートの表面の前記重心近傍に固着された紐であってよい。
【００１３】
本発明に係る野外用敷物は、前記結束用具は、両端を有し、該両端の略中間部を前記２次元状シートの表面の前記重心近傍に固着された紐と、該紐の両端を遊貫させたロープロックと、から形成され得る。あるいは前記結束用具は、固着端と開放端を有し、該固着端が前記２次元状シートの前記表面の前記重心近傍にに固着された２本の紐と、該２本の紐の開放端を遊貫させたロープロックと、から形成してもよい。  
【００１４】
本発明に係る野外用敷物において、前記結束用具として用いる紐の一端に、あるいは紐の両端を結んで、結び目を形成するのが好ましい。
【００１５】
本発明に係る野外用敷物は、表面と裏面とを画する周縁部および該周縁部に包囲された重心を有する２次元状シートと、前記表面に固着された結束用具と、を含み、前記重心の近傍を持ち上げて一端とし、該一端から前記周縁部方向に前記２次元状シートを束ねて略揃えた該周縁部を他端として、該他端を該一端側に折り曲げて該２次元状シートを重畳し、前記結束用具により該重畳した２次元状シートを結束して収納可能な野外用敷物であって、
前記２次元状シートの表面の前記重心近傍に摘み部を形成し、前記２次元状シートの表面の前記重心外の位置に前記結束用具を固着して形成してもよい。摘み部として、輪ゴムやワニグチクリップ、紐、紐を用いた輪っか等を用いることができる。
【００１６】
本発明に係る野外用敷物は、前記結束用具は、固着端と開放端を有するバンドであり、
該固着端を前記２次元状シートの表面に固着し、該固着端および該開放端近傍にそれぞれ雌雄の係止具を表設して形成してもよい。雌雄の係止具として、マジックテープ（登録商標）やファスナー、フックなどを用いることができる。
【００１７】
あるいは、本発明に係る野外用敷物は、前記結束用具は、固着端と開放端を有するバンドであり、該固着端を前記２次元状シートの表面の前記重心近傍または前記重心外の位置に固着し、該固着端近傍にボタンを、および、該開放端近傍にボタン掛けを、それぞれ設けてもよい。
【００１８】
本発明に係る野外用敷物は、前記２次元状シートは２以上の層が積層されて構成され、各層間に空気が密封され、あるいは、クッション層が内挿されてもよい。
【００１９】
本発明に係る野外用敷物は、上記記載の重心にワニグチクリップを取り付けてもよい。
【００２０】
本発明に係る野外用敷物は、前記２次元状シートもしくは前記結束用具に、ワニグチクリップを取り付けてもよい。
【００２１】
本発明に係る野外用敷物は、前記２次元状シートの表面の前記重心近傍を起点として放射状にプリーツ加工を施した事を特徴とし得る。
【発明の効果】
【００２２】
本発明の野外用敷物は、円形もしくは多角形などの閉じた周縁部を外形とする２次元状シートと、その重心近傍に紐や輪っか、輪ゴム等の手で摘まむための手掛かり（以下「摘み部」ともいう。）、および紐やバンド等の結束用具を有している敷物である。摘み部は特に外付けしなくても、２次元状シートの重心表面そのものであってもよい。収納時は、この摘み部を摘まみ上げることで、摘み部の位置が起点となり、傘を閉じるように２次元状シートの汚れた裏面同士のみが瞬時に合わさって、周縁部が自然に束ねられて閉じる事になる。そのため、奇麗な２次元状シート表面に裏面の汚れが転写することはなく、手頃な大きさに一旦まとまるので、汚れた水滴の水切りも容易となる。
【００２３】
すなわち、通常敷物を収納する場合は、汚れた敷物の裏面が表面と接触しないよう考えながら折り畳み、小さくして片づける方法がとられるため、神経を使う面倒な作業となっていたが、本発明の野外用敷物は、２次元状シートの摘み部を摘まんで持ち上げる事で、汚れた２次元状シートの裏面が裏面同士のみで重なり合い、人が座る奇麗な表面とは接触しないため、容易に奇麗に収納が可能となる。
【００２４】
また、上記のような摘み部を摘まみ上げて周縁部が束ねられた状態で２次元状シートを折り曲げて、重畳した２次元状シート全体を結束用具により結束し、輪っかなどで吊り下げて保持できるようにしたので、本野外用敷物は、収納後も水滴が後から垂れにくくなり紛失の危険も少なくなる。本発明の野外用敷物は、敷設から片づけ収納までが、使用者の手や敷物の表面を汚すことなく、簡単且つスピーディにしかもコンパクトに確実に保持することができる。
【００２５】
また、通常の敷物を収納するときの課題として、敷設した地面が濡れていると敷物裏面が濡れてしまい、その水滴が折りたたんだ後流れ出て敷物表面に接して汚してしまったり、敷物の入れ物や使用者の服や鞄を汚す事があるため、十分この水滴を払い落してから折り畳む必要がある。そのため敷物を畳む前に、敷物を大きく広げ、しかも大きくこの敷物を振り払う事が必要であった。それ自体が面倒であり体力的にも負担であるが、その時汚れた水滴が使用者の顔に降りかかり不快な気分になったり、風に煽られてシート自体を紛失する事が山の様な風の強いところでは度々生じた。本発明の野外用敷物では、摘み部を持って持ち上げる事で、２次元状シートは従来よりすでに１／８程度以下に小さく窄まっているので風に対する影響は非常に少なく、紛失しにくくなる。また無理なく水滴を簡単に振り払う事ができるようになる。
【図面の簡単な説明】
【００２６】
【図１】結束用具の紐が２次元状シートの表面に固着された本発明に係る野外用敷物の平面図。
【図２】結束用具の紐が２次元状シートの表面重心近傍に固着された本発明に係る野外用敷物の平面図。
【図３】本発明に係る野外用敷物の収納時の斜視図であり、（ａ）紐の固着端付近（重心近傍）Ａを持ち上げて周縁部方向に２次元状シートを束ねて略揃えた周縁部をＢとして、（ｂ）ＢをＡ側に折り曲げて２次元状シートを重畳し、（ｃ）紐を、重畳した２次元状シートに１周以上巻きつけて、巻きつけた紐に結び目が引っ掛かってストッパーとなるように輪っかを形成する、収納手順を示す斜視図。
【図４】結束用具を紐とロープロックで構成した本発明に係る野外用敷物の平面図。
【図５】本発明に係る野外用敷物の収納時の斜視図であり、（ａ）紐の固着端付近（重心近傍）Ａを持ち上げて周縁部方向に２次元状シートを束ねて略揃えた周縁部をＢとして、（ｂ）ＢをＡ側に折り曲げて２次元状シートを重畳し、（ｃ）紐により重畳した２次元状シート１０を挟持しながら、ロープロックによりこれを結束させる、収納手順を示す斜視図。
【図６】人の好適な座り位置を示す、本発明に係る野外用敷物の平面図。
【図７】２次元状シートの表面の重心近傍に輪っかを形成し、重心外の位置に結束用具を固着した、本発明に係る野外用敷物の平面図。
【図８】クッション層が内挿された本発明に係る野外用敷物の断面図。
【図９】ワニグチクリップを結束用具に取り付けた星形形状の本発明に係る野外用敷物の平面図。
【図１０】２次元状シートの重心近傍に輪っかを、重心外のその近辺にはゴム輪を取り付けた、花形形状の本発明に係る野外用敷物の断面図。
【図１１】２次元状シートの重心近傍に輪っかを、周縁部近くにはテープ状の帯を取り付けた、リンゴ型形状の本発明に係る野外用敷物の断面図。
【発明を実施するための形態】
【００２７】
図１を参照すると、本発明に係る野外用敷物１は、表面１１と裏面１２とを画する周縁部１３、および周縁部１３に包囲された重心１５を有する２次元状シート１０と、表面１１に固着された結束用具５０と、を含む野外用敷物１であって、重心１５の近傍を摘まんで持ち上げて一端とし、当該一端から周縁部１３方向に２次元状シート１０を束ねて略揃えた周縁部１３を他端として、当該他端を当該一端側に折り曲げて２次元状シート１０を重畳し、結束用具５０により当該重畳した２次元状シート１０を結束して収納可能な野外用敷物１である。
【００２８】
図１において、結束用具５０は、例えば固着端５４と開放端５６を有し、固着端５４が２次元状シート１０の表面１１に固着された紐５２である。図１のように、予め結束用具５０の紐５２の開放端５６付近に結び目５８を作っておくのが好ましい。また、図示しないが、２次元状シート１０の重心１５近傍には、その位置が重心１５と分かるようにマークを入れておくなど、目印を付けておくのが好ましい。
【００２９】
以下、実施形態を用いて、本発明に係る野外用敷物１を具体的に説明する。
【００３０】
実施形態１の野外用敷物１において、結束用具５０は図２に示すように、固着端５４と開放端５６を有し、固着端５４が２次元状シート１０の表面１１の重心１５近傍に固着された紐５２である。紐５２の開放端５６付近には、図１のように、予め結束用具５０の紐５２の開放端５６付近に結び目５８を作っておくのが好ましい。また、２次元状シート１０の表面１１の重心１５近傍を起点として放射状にプリーツ加工２２を施してもよい（図３参照）。
【００３１】
２次元状シート１０を開いて敷物として使用した実施形態１に係る野外用敷物１を収納する場合は、図３（ａ）のように、紐５２の固着端５４付近（重心１５の近傍）を持ち上げて一端Ａとし、当該一端Ａから周縁部１３方向に２次元状シート１０を束ねて略揃えた周縁部１３を他端Ｂとして、図３（ｂ）のように、当該他端Ｂを当該一端Ａ側に折り曲げて２次元状シート１０を重畳する。続いて、紐５２を、重畳した２次元状シート１０に１周以上巻きつけて、巻きつけた紐５２に結び目５８が引っ掛かってストッパーとなるように輪っか６０を形成するのが好ましい(図３（ｃ）)。このように、実施形態１の野外用敷物１は、重畳した２次元状シート１０を紐５２（結束用具５０）により結束して収納することができる。
【００３２】
このようにコンパクトになった本発明の野外用敷物１を、摘み部６０により例えばザックの横にカラビナなどを介して吊りさげて保持すると、水切りした後でも微量に残っていた水滴は、シート裏面の折り目の中に溜まる事になり、水滴は外に垂れにくくなる。さらに、風や振動によりザックから脱落して紛失する事がなくなる。
【００３３】
このように本実施形態１の野外用敷物１は、敷物の２次元状シート１０の表面１１にこれを持ち上げる際の摘み部として紐５２を使用し、同じく紐５２を結束用具５０として使用する。２次元状シート１０は任意の形状でも構わないが、本来の効果を獲得するためには、まず使用者が紐５２の固着端５４付近を持って、片手で持ち上げられて周縁部１３（裾が地面につかない大きさであること（約２ｍ×２ｍ以内）が好ましく、そのため野外用敷物１は、一人〜数人用の小型の敷物とするのが好ましい。
【００３４】
２次元状シート１０は、生地を紙や綿、ナイロン、アクリルの他、アルミ・塩化ビニール・シリコン・ポリウレタン等にて作成してよく、もしくは、これらを別の生地に貼り付けたり蒸着、あるいはコーティング等して作成してもよい。
【００３５】
これらの材料で作成された２次元状シート１０の紐５２を摘まんで持ち上げる事で、２次元状シート１０自体が持ち上がる。この時、実施形態１において紐５２の固着端５４は２次元状シート１０の重心１５の近傍に固着されているため、地面に敷く事で汚れた２次元状シート１０の裏面１２は、自ずと裏面１２同士のみで重なり合い、人が座る奇麗な表面１１とは接触しないため、野外用敷物１の収納が容易となる。すなわち、本発明の野外用敷物１は、持ち上げるだけで自然と裏面１２同士が重なるので、その状態のまま折り畳んで結束することができ、容易に敷物袋等に収納することができる。
【００３６】
次に、本発明の他の実施態様として、第２の実施形態に係る野外用敷物１について説明する。
【００３７】
本発明の第２の実施形態の野外用敷物１は、図４のようにロープロック７０を用いたものである。すなわち、結束用具５０は、両端５５を有し、両端５５の略中間部を２次元状シート１０の表面１１の重心１５近傍に固着された紐５２と、紐５２の両端５５を遊貫させたロープロック７０とから構成される。ロープロック７０に遊貫された紐５２の両端５５を結んで結び目６８を形成しておくのが好適である。
【００３８】
あるいは結束用具５０は、固着端と開放端５５を有し、当該固着端が２次元状シート１０の表面１１に固着された２本の紐５２と、この２本の紐５２の開放端５５を遊貫させたロープロック７０と、から形成されていてもよい。
【００３９】
ロープロック７０は、コードロックなどの商品名で主に登山用具等として販売されており、このような市販品をそのまま使用すればよい。使用方法も市販商品の使用法に従うが、上記例では、紐５２の両端５５を遊貫させた後、その両端５５を結んで結び目６８を形成して、ロープロック７０が紐５２の固着部（重心１５近傍）から結び目６８までを移動できるようにして用いるのが好適である。ロープロック７０を移動させると、ロープロック７０と結び目６８との間に紐５２の摘み部６０ができ、これをザックに取り付けたカラビナなどに引っ掛けて野外用敷物１を携帯することができる。
【００４０】
本実施形態２の野外用敷物１も、上記実施形態１の野外用敷物１と略同様にして図５（ａ）〜（ｃ）のように収納することができる。すなわち、２次元状シート１０を開いた状態で、その表面１１の重心１５近傍に固着された紐５２の付け根部分（重心１５の近傍）を摘まんで一端Ａとし、当該一端Ａから周縁部１３方向に２次元状シート１０を束ねて略揃えた周縁部１３を他端Ｂとして、当該他端Ｂを当該一端Ａ側に折り曲げて２次元状シート１０を重畳する。続いて、２本の紐５２により重畳した他端Ｂ側の２次元状シート１０を挟持しながら、ロープロック７０によりこれを結束させる。このように、実施形態２の野外用敷物１は、重畳した２次元状シート１０を結束用具５０により結束して収納することができる。
【００４１】
図６は野外用敷物１を広げて敷設し、２次元状シート１０上に人５が腰掛けている状態を模式的に図示したものである。２次元状シート１０の略中央に腰かけ、結束用具５０は邪魔にならないように股の間に置くのが好適である。立ち上がる際は、この結束用具５０の紐５２を持ちながら立ち上がると、風の強い状況でも、結束用具５０が指に引掛かって持ち易いので、従来のように風に煽られて敷物を紛失することが少なくなる。また結束用具５０を持ちながら立ち上がる事で、本発明の野外用敷物１は図５（ａ）のように自然と２次元状シート１０が束ねられて折り畳み前の状態に変化するので、スピーディに片付け易くなる。
【００４２】
さらに、本発明の第３の実施形態に係る野外用敷物１について説明する。
【００４３】
第３の実施形態に係る野外用敷物１は、図７に示すように、前記２次元状シート１０の表面１１の重心１５近傍に摘み部６０を形成し、２次元状シート１０の表面１１の重心１５外の位置に結束用具５０を固着した野外用敷物１である。図７において摘み部６０は、紐の両端を重心１５近傍に固着させた輪っかであるが、摘み部６０は輪ゴムやワニグチクリップ、単なる紐など、手で摘まむための手掛かりとなるものであれば、その材料、形状等は特に限定されない。
【００４４】
結束用具５０は、固着端８２と開放端８４を有するバンド８０であり、固着端８２を２次元状シート１０の表面１１に固着し、固着端８２および開放端８４近傍にそれぞれ雌雄の係止具８６を表設した。雌雄の係止具８６としては、マジックテープ（登録商標）や、ファスナー、フック、ボタンなどを用いることができる。
【００４５】
上記実施形態と同様に、摘み部６０（重心１５の近傍）を摘まんで持ち上げ、周縁部１３方向に２次元状シート１０を束ね、周縁部１３側を摘み部６０側に折り曲げて２次元状シート１０を重畳し、バンド８０により重畳した２次元状シート１０を結束して、上記マジックテープ（登録商標）等の雌雄の係止具８６を係止することにより、野外用敷物１を収納することができる。
【００４６】
あるいは雌雄の係止具８６がボタンである場合には、結束用具５０は、固着端８２と開放端８４を有するバンド８０であり、固着端８２を２次元状シート１０の表面１１に固着し、固着端８２近傍にボタンを、および、開放端８４近傍にボタン掛けを、それぞれ設けた、野外用敷物１であってもよい。収納方法は上記例と同様である。
【００４７】
結束用具５０の固着位置は、２次元状シート１０の重心近傍部に形成した摘み部６０の近辺でもよいし、２次元状シート１０の周縁部１３側でもその中間付近でもよい。２次元状シート１０の大きさによって、折り畳む回数や折り畳んだ後の収納状態を考慮して、もっとも結束しやすい位置に固着すればよい。
【００４８】
以上、本発明に係る野外用敷物１について説明したが、本発明は上記実施形態に限定されるものではない。通常の場合、野外用敷物１において２次元状シート１０は点対称な図形が望ましく、その中心（重心１５）に紐５２や摘み部６０のように手で摘まむための手掛かり（摘み部）を取り付けた形状が望ましい。できるだけ重心１５から周縁部１３までが等距離の形状であると、結束完了後とても奇麗に纏まりコンパクトにもなるため、理想的には野外用敷物１は真円の２次元状シート１０の重心に上記摘み部がある形となる。しかし、デザインを優先させる場合は２次元状シート１０は、花型のシート（図１０）やリンゴや蝶型のシート（図１１）、星型のシート（図９）でもよく、そのような形状であっても本発明の野外用敷物１としての効果を十分得ることができる。またそれぞれの２次元状シート１０の形に合わせて、リンゴや蝶などのデザインを２次元状シート１０にプリントして趣味性を高めることができる。
【００４９】
２次元状シート１０の生地は、一般的に上記のような紙や綿、ナイロン、アクリル、テフロン(登録商標)等に限らず、柔軟な略２次元形状のものであれば特に限定されない。防水性能があることが望ましいが、防寒用として２次元状シート１０にアルミを貼り付けたり、蒸着してもよく、これにより濡れた岩の上やちょっとした雪の上でも使用可能となる。あるいは滑り止めとして２次元状シート１０をシリコンや塩化ビニールで作ったり、それらの樹脂を２次元状シート１０の表裏１２に吹き付け・コーティング加工してもよい。そのように加工することにより、ゴルフ場でのギャラリーとして観戦する場合に、斜面の草地の上にちょっと腰かける事が可能となる。
【００５０】
また、２次元状シート１０の生地に折り目を付けるプリーツ加工２２を施しておくと、本２次元状シート１０を図３（ａ）の様に持ち上げた時、傘をたたんだ時と同じ様に、生地の折り目に従って簡単に奇麗に纏まり易くなり、最終的に結束完了（図３（ｃ））したときの状態がよりコンパクトに奇麗になる。
【００５１】
本発明に係る野外用敷物１を持ち上げるための摘み部や、結束するための用具（結束用具５０）については以下の代用品が容易に推察できる。摘み部については、紐５２の他、２次元状シート１０の生地を突起状に加工した物やゴム片やゴム輪、さらにはテープ状の帯を圧着または縫合したものが考えられる。また結束用具５０については、上記紐５２の他に、傘を閉じてまとめる時に使用する上記マジックテープ（登録商標）８６やボタンやファスナー、フックなどが付いたバンドの他、ゴム輪などが代用できる。
【００５２】
以下に図面にしたがって、さまざまな実施例について説明する。
【実施例１】
【００５３】
図９は上記実施形態１または２の変形例で、２次元状シート１０の重心１５近傍にゴム輪９２を固着し、その先端にワニグチクリップ９０を取り付けた野外用敷物１を表す。図９では、ワニグチクリップ９０とゴム輪９２間にばね状のコード９４を中継させている。本実施例１の野外用敷物１は、上記実施形態と同様に２次元状シート１０を折り畳んで、ゴム輪９２により結束させることができる。
【００５４】
このように、野外用敷物１の摘み部もしくは結束用具５０にワニグチクリップ９０を取り付ける事で、カラビナを通せる輪がザック等に無くても、ザックまたはその他の物に野外用敷物１を吊り下げて携帯できるようになる。上述のどの形態の野外用敷物１にも、このワニグチタイプのクリップ９０は取り付けてもよい。このワニグチクリップ９０をつける事によって、ザックにカラビナを取り付ける場所がなくても、ザックのどこにでも気軽に取り付けられるようになるため、紛失の危険はより低くなる。
【実施例２】
【００５５】
図１０は実施形態３の野外用敷物１の変形例で、摘み及び吊り下げの機能は、２次元状シート１０の重心１５近傍に固着した摘み部６０が担い、収納して折り曲げた後の結束は、同じく重心１５近辺に取り付けたゴム輪９２が行うタイプを示した。結束する機能（ここではゴム輪９２）は重心１５近辺にあっても、２次元状シート１０の周縁部１３付近にあってもその効果は変わらない。勿論ここでゴム輪９２はマジックテープ（登録商標）付きのテープ、バンド等に代替しても効果は変わらない。
【００５６】
２次元状シート１０の重心１５に固着した摘み部６０は、上記実施形態で述べたように紐５２を輪状にして２次元状シート１０に取り付けても、ゴム輪９２を取り付けてもよく、摘み部として機能するのであればその材料等は限定されない。野外用敷物１は、上記実施例１と同様に、２次元状シート１０を折り畳んで、重心１５外に取り付けたゴム輪９２により結束させることができる。
【実施例３】
【００５７】
図１１は同じく実施形態３の野外用敷物１の変形例で、摘みと吊り下げの機能は、２次元状シート１０の重心１５近傍に固着した摘み部６０が担い、折り曲げ重畳した後の結束は、２次元状シート１０の周縁部１３近くのバンド８０が行うタイプを示した。
【００５８】
バンド８０は、雌雄の係止具８６として、傘の帯の様に結束するための上記マジックテープ（登録商標）（図７参照）や、特に図示しないが、ボタンやフック、ファスナー等を使用する。本実施例では、２次元状シート１０の形状をリンゴ型に似せた物であるため、バンド８０はリベット止めにして回転自由とし、リンゴの花梗に似せる工夫も可能である。またこの２次元状シート１０の形状を蝶に見立てるべく、バンド８０を２本設置し蝶の触覚の様に似せる工夫もできる。
【００５９】
また、２次元状シート１０の生地は、通常のナイロンや綿だけでなく、保温性を増すために生地をウレタン自体で作成したり、アルミを蒸着コーティングしたりしてもよい。また草の上や傾斜地に敷設してもシートおよび使用者が滑らないように塩化ビニールやシリコンで生地を作成したりコーティングしたりしてもよい。
【実施例４】
【００６０】
実施例４に係る野外用敷物１において、２次元状シート１０は２以上の層が積層されて構成され、各層間に空気を密封させ、あるいは、クッション層を内挿させる。例えば図８に示す野外用敷物１は、２次元状シート１０は表面１１と裏面１２の２層から構成され、当該２層間にクッション層１４が挿入されている。クッション層１４としては、スポンジやウレタンなどを各層間に内包させればよい。
【００６１】
表面１１と裏面１２の２層があることで、表面１１の層にはデザインに凝った感触のよい材質を、裏面１２の層には耐摩耗性や防水性のある材質を選定する事も可能となる。また表面１１と裏面１２の間の空間には、保温性を上げるべく、スポンジやウレタンなどを内包する他にも、エアーマットの様に空気を閉じ込める機密性のある構造としてもよい。その場合エアーを出し入れするための吸入口が追加で必要となる。
【００６２】
その他、本発明は、その主旨を逸脱しない範囲で当業者の知識に基づき種々の改良、修正、変更を加えた態様で実施できるものである。
【産業上の利用可能性】
【００６３】
本発明に係る野外用敷物は、登山やピクニック、散歩時の携帯用の敷物、あるいはお花
見や海水浴時に用いるやや大きめの敷物等に利用することが出来る。
【符号の説明】
【００６４】
１  ：野外用敷物
５  ：人体
１０：２次元状シート
１１：表面
１２：裏面
１３：周縁部
１４：クッション層
１５：重心
２２：プリーツ加工
５０：結束用具
５２：紐
５４：固着端
５５：両端
５６：開放端
５８、６８：結び目
６０：摘み部
７０：ロープロック
８０：バンド
８２：固着端
８４：開放端
８６：雌雄の係止具
９０：ワニグチクリップ
９２：ゴム輪
９４：ワニグチクリップを取り付けるコード
【要約】
【課題】本発明の野外用敷物は、敷設から片づけ収納までが、使用者の手や敷物の表面を汚すことなく、簡単、迅速且つクリーンにしかもコンパクトに確実に保持できる事を目的とする。
【解決手段】本発明に係る野外用敷物は、表面と裏面とを画する周縁部および該周縁部内側に重心を有する２次元状シートと、前記表面に固着された結束用具と、を含む野外用敷物であって、前記重心の近傍を持ち上げて一端とし、該一端から前記周縁部方向に前記２次元状シートを束ねて略揃えた該周縁部を他端として、該他端を該一端側に折り曲げて該２次元状シートを重畳し、前記結束用具により該重畳した２次元状シートを結束して収納可能である。
【選択図】  図１【図１】
0005155437.tif 000002
【図２】
0005155437.tif 000003
【図３】
0005155437.tif 000004
【図４】
0005155437.tif 000005
【図５】
0005155437.tif 000006
【図６】
0005155437.tif 000007
【図７】
0005155437.tif 000008
【図８】
0005155437.tif 000009
【図９】
0005155437.tif 000010
【図１０】
0005155437.tif 000011
【図１１】
0005155437.tif 000012